(57)【要約】      （修正有）【課題】景観性及び安全性への配慮が高いレベルでなされたガードパイプ用端部緩衝具を提供する。【解決手段】取付金具１に弾性カバー材５が被せられていることで、取付金具１が露出することが抑えられて景観性の配慮を図ることができる。また取付手段３が弾性カバー材５の外面５３より外側に突出しないようになされていることで、取付手段３が突出して衣服に引っかかったり、車両の衝突時に取付手段３に金属片が付着したりすること等が防がれて、高いレベルでの安全性への配慮を図ることができる。【選択図】        図３
2007120208.tif 000002
【特許請求の範囲】
【請求項１】
弾性を有する合成樹脂からなる弾性カバー材と、ガードパイプのビーム材に取り付けられる取付金具とを備え、前記ビーム材に取り付けられた取付金具に前記ビーム材の端部を覆うように弾性カバー材が被せられ、弾性カバー材と前記取付金具とが取付手段により取り付けられて固定され、該取付手段が弾性カバー材の外面より外側に突出しないようになされていることを特徴とするガードパイプ用端部緩衝具。
【請求項２】
前記弾性カバー材は、取付手段により固定されていない状態で前記取付金具に対して着脱自在となされていることを特徴とする請求項１に記載のガードパイプ用端部緩衝具。
【請求項３】
弾性を有する合成樹脂からなる弾性カバー材と、ガードパイプのビーム材に取り付けられる取付金具とを備え、前記ビーム材に取り付けられた取付金具に前記ビーム材の端部を覆うように弾性カバー材が被せられて一体となされ、前記取付金具はビームを挿通可能な把持部を備え、該把持部が間隔調整手段により拡縮自在となされると共に、間隔調整手段が弾性カバー材の外面より外側に突出しないようになされていることを特徴とするガードパイプ用端部緩衝具。
【請求項４】
突出したビーム材を切断し、請求項１〜３のいずれかに記載のガードパイプ用端部緩衝具を取り付けることを特徴とする防護柵の端末保護方法。
【発明の詳細な説明】
【技術分野】
【０００１】
本発明は、歩車道境界等に設けられるガードパイプの端部に装着される緩衝具に関するものである。
【背景技術】
【０００２】
ガードパイプの端末は、通常先端が半円状となされたキャップが取り付けられるが、このようなキャップは鋼鉄製であることから、歩行者や自転車が衝突すると怪我をする恐れがある。ここで衝突の際の衝撃を緩衝して、かかる怪我の恐れを小さくするためにガードパイプのビームの端末に緩衝具を設けるのが好ましいと考えられている。このような端部緩衝具としては、例えばウレタンフォームからなる短柱状のパッドに取付け用ステーの一端が埋設固定され、取付け用ステーをガードパイプの端末に嵌めることで、ガードパイプの端末に緩衝具を取り付けるようにしたガードパイプ用端末保護具が開示されている（例えば特許文献１）。
【０００３】
【特許文献１】特開平８−８５９２５号公報
【発明の開示】
【発明が解決しようとする課題】
【０００４】
しかしながら、特許文献１に記載のような従来のガードパイプ用端部緩衝具では、取付用のボルトが露出していることから、無骨な印象を与えて周囲の景観を損ねる恐れがあり、またボルトに衣服等が引っかかったり、車両が衝突した際に取付用のボルトに鋭利な金属片が付着したりする恐れがあり、景観性及び安全性への配慮が十分とは言い難いものであった。
【０００５】
本発明は上記の如き課題に鑑みてなされたものであり、景観性及び安全性への配慮が高いレベルでなされたガードパイプ用端部緩衝具を提供せんとするものである。
【課題を解決するための手段】
【０００６】
上記目的を達成するため、本発明は以下のような構成としている。すなわち、本発明に係わるガードパイプ用端部緩衝具は、弾性を有する合成樹脂からなる弾性カバー材と、ガードパイプのビーム材に取り付けられる取付金具とを備え、前記ビーム材に取り付けられた取付金具に前記ビーム材の端部を覆うように弾性カバー材が被せられ、弾性カバー材と前記取付金具とが取付手段により取り付けられて固定され、該取付手段が弾性カバー材の外面より外側に突出しないようになされていることを特徴とするものである。
【０００７】
本発明に係わるガードパイプ用端部緩衝具によれば、取付金具に弾性カバー材が被せられていることで、取付金具が露出することが抑えられて景観性の配慮を図ることができる。また取付手段が弾性カバー材の外面より外側に突出しないようになされていることで、取付手段が突出して衣服に引っかかったり、車両の衝突時に取付手段に金属片が付着したりすること等が防がれて、高いレベルでの安全性への配慮を図ることができる。
【０００８】
また前記弾性カバー材は、取付手段により固定されていない状態で前記取付金具に対して着脱自在となされていれば、取付手段を外して弾性カバー材のみを交換することができ、車両の衝突等により弾性カバー材が汚損した場合でも取付金具を継続して用いることができるようになり好ましい。
【０００９】
また本発明に係わるガードパイプ用端部緩衝具は、弾性を有する合成樹脂からなる弾性カバー材と、ガードパイプのビーム材に取り付けられる取付金具とを備え、前記ビーム材に取り付けられた取付金具に前記ビーム材の端部を覆うように弾性カバー材が被せられて一体となされ、前記取付金具はビームを挿通可能な把持部を備え、該把持部が間隔調整手段により拡縮自在となされると共に、間隔調整手段が弾性カバー材の外面より外側に突出しないようになされていることを特徴とするものである。
【００１０】
本発明に係わるガードパイプ用端部緩衝具によれば、取付金具に弾性カバー材が被せられていることで、取付金具が露出することが抑えられて景観性の配慮を図ることができる。また拡縮自在の把持部によりビームが把持されることで固定が確実に行われ、その拡縮に係わる間隔調整手段が弾性カバー材の外面より外側に突出しないようになされていることで、取り付けに係わる手段が突出して衣服に引っかかったり、車両の衝突時に取付手段に金属片が付着したりすること等が防がれて、高いレベルでの安全性への配慮を図ることができる。
【００１１】
また本発明に係わる防護柵の端末保護方法は、突出したビーム材を切断し、請求項１〜３のいずれかに記載のガードパイプ用端部緩衝具を取り付けることを特徴とするものである。
【００１２】
本発明に係わる防護柵の端末保護方法によれば、端末キャップ等を用いることなく、突出したビーム材を切断し、ガードパイプ用端部緩衝具を取り付けるのみで防護柵の端末を保護することができる。また請求項１〜３のいずれかに記載のガードパイプ用端部緩衝具を用いることで、ガードパイプの端末の保護を行うのに高いレベルで景観性及び安全性に配慮したものとなり得る。
【発明の効果】
【００１３】
本発明に係わる請求項１に記載のガードパイプ用端部緩衝具によれば、取付金具に弾性カバー材が被せられていることで、取付金具が露出することが抑えられて景観性の配慮を図ることができる。また取付手段が弾性カバー材の外面より内方となされていることで、取付手段が突出して衣服に引っかかったり、車両の衝突時に取付手段に金属片が付着したりすること等が防がれて、高いレベルでの安全性への配慮を図ることができる。
【００１４】
また本発明に係わる請求項３に記載のガードパイプ用端部緩衝具によれば、取付金具に弾性カバー材が被せられていることで、取付金具が露出することが抑えられて景観性の配慮を図ることができる。また把持部により取付金具に対して弾性カバー材が把持されていることで、弾性カバー材の取り付けに係わる手段を外面から突出させて設ける必要がなくなり、取り付けに係わる手段が突出して衣服に引っかかったり、車両の衝突時に取付手段に金属片が付着したりすること等が防がれて、高いレベルでの安全性への配慮を図ることができる。
【００１５】
また本発明に係わる防護柵の端末保護方法によれば、端末キャップ等を用いることなく、突出したビーム材を切断し、ガードパイプ用端部緩衝具を取り付けるのみで防護柵の端末を保護することができる。また請求項１〜３のいずれかに記載のガードパイプ用端部緩衝具を用いることで、ガードパイプの端末の保護を行うのに高いレベルで景観性及び安全性に配慮したものとなり得る。
【発明を実施するための最良の形態】
【００１６】
本発明に係わる最良の実施の形態について、図面に基づき以下に具体的に説明する。
【００１７】
図１は、本発明に係わるガードパイプ用端部緩衝具の、第一の実施形態を示す斜視図である。防護柵Ｆは一般にガードパイプと呼ばれるもので、歩道Ｈの車道Ｒ近傍に複数の支柱３０を立設し、支柱３０の車道Ｒ側に継手金具Ｆ１を用いて、三段のビーム２０を取り付けることで車道Ｒに沿って延設されたものである。図中の支柱３０は、交差点や車両出入口等の防護柵Ｆの切れ目付近に位置するものであり、通常、防護柵Ｆの切れ目におけるビーム２０の端末部分には、各々のビーム２０の端末について各々一体の先端が曲面となされた金属製のキャップが取り付けられるが、本実施形態においては三段のビーム２０の端末を一体にて覆うガードパイプ用端部緩衝具１０が設けられている。
【００１８】
ガードパイプ用端部緩衝具１０は、少なくとも外面付近が弾性を有する合成樹脂から形成され、更にガードパイプ用端部緩衝具１０の、防護柵Ｆの延設方向における端部には、夜間における視認性を高める再帰反射体１０１が取り付けられている。ガードパイプ用端部緩衝具１０が一体で複数段のビーム２０を覆うようになされていることで、ビーム２０間の縦方向に隙間が生じて、歩行者や自転車の一部がその隙間に挟まって事故等が起こることを防ぐことができ、また弾性を有する合成樹脂から形成されていることで、歩行者や自転車などが防護柵Ｆの端末に衝突した際に、衝撃を緩衝して怪我等の程度を軽減することができる。
【００１９】
図２及び図３は、ビーム２０の端末へのガードパイプ用端部緩衝具１０の形成を説明するもので、まず図２の（ａ）はビーム２０への取付金具の取り付けを示す斜視図である。ビーム２０の支柱３０より端末２０１側には、後述する弾性カバー材の長さに合わせた位置にボルトＢ１及びナットＮ１を用いて取付金具１を取り付ける。取付金具１は（ｂ）に示した取付用金具２を二体用いて形成されたもので、取付用金具２は、ビーム２０を略全周に亘って包持する全周当接部２１と、全周当接部２１に対してビーム２０間の上下方向に間隔をおいて設けられ、ビームの略半周に亘って包持する半周当接部２２と、全周当接部２１と半周当接部２２との間に各々の間隔を保持する板状の間隔保持部２３と、全周当接部２１から下方に間隔保持部２３と僅かに厚み方向に間隔をおいて設けられ、半周当接部２２のやや上方が下端となされた同じく板状の平行板部２４と、半周当接部２２から下方に延設され、間隔保持部２３や平行板部２４の長さの１／４程度の長さとなされた板状突設部２５とが、鋼板の曲げ加工により一体に設けられて形成されたものである。間隔保持部２３と平行板部２４には、ボルトを挿通するための孔が設けられ、半周当接部２２寄りにはボルト孔２３１、２４１が、全周当接部２１寄りには挿通孔２３２、２４２が設けられている。更に板状突設部２５についてもボルト孔２５１が設けられている。
【００２０】
この取付用金具２をビーム２０に取り付けて取付金具１を形成するには、断面図（ｃ）に示す如く取付用金具２を二体用い、上方の取付用金具２Ａに対して下方の取付用金具２Ｂは同じ形状のものながら上下逆に用いられ、取付用金具２Ａ及び２Ｂの全周当接部２１に各々上段のビーム２０Ａと下段のビーム２０Ｃが挿入されると共に、半周当接部２２が相対向させられて両側から中段のビーム２０Ｂを挟み込むようになされる。半周当接部２２が中段のビーム２０Ｂを挟み込んだ状態で、取付用金具２Ａ及び２Ｂの半周当接部２２寄りに設けられたボルト孔２３１及び２４１にボルトＢ１が挿通されナットＮ１が緊結されることで、半周当接部２２間にビーム２０Ｂが強く挟持されてビーム２０の端末に取付金具１が強固に固定される。ここで、取付用金具２の板状突設部２５に設けられたボルト孔２５１にもボルトＢ１が挿通されることで、取付金具１に強い外力がかかっても半周当接部２２が変形することが防がれて取付金具１の取り付け状態が維持できるようになされている。
【００２１】
半周当接部２２間に中段のビーム２０Ｂが強く挟持され、且つ全周当接部２１に上段のビーム２０Ａ及び下段のビーム２０Ｃが挿通されていることで、ビーム２０間の間隔が保持され、支柱３０より端末２０１側のビーム２０に外力が掛かった場合に変形する恐れを小さくできる。
【００２２】
次に、後述する弾性カバー材の端部を覆うための端部隠し材が取り付けられる。端部隠し材４は上下方向にビーム２０と直交するようになされる板状のプレート部４１と、プレート部４１からビーム２０の端末２０１方向に突設された四体の挿通板部４２と、プレート部４１に穿設されたビーム挿通孔４３が設けられている。ビーム挿通孔４３は、上段ビーム２０Ａ、中段ビーム２０Ｂ、下段ビーム２０Ｃが各々挿通される上段孔４３１、中段孔４３２、下段孔４３３を備え、ビーム２０とビーム２０に取り付けられた取付金具１とが挿通される大きさとなされている。中段孔４３２は取付金具１に締結されたボルトＢ１及びナットＮ１が挿通されるよう、上下方向に長孔となされており、上段孔４３１、中段孔４３２及び下段孔４３３は一体に設けられることで孔明けにおける加工性を向上させているが、各々別に設けてプレート部４１の幅方向の強度低下を防ぐようにしてもよい。
【００２３】
プレート部４１及び挿通板部４２は鉄鋼により形成され、プレート部４１に対して挿通板部４２は溶接により取り付けられている。挿通板部４２には、ボルトを挿通させる貫通孔４４が設けられており、貫通孔４４は挿通板部４２の厚み方向の途中に段差が設けられた所謂座繰り孔となされ、外側が内側より大きい孔となされている。この端部隠し材４は、ビーム２０に対して図３の（ａ）に示す如く取り付けられるが、ビーム２０及び取付金具１に固定されず、弾性カバー材が取り付けられていない状態ではビーム挿通孔４３にビーム２０が挿通されたのみの状態となされている。
【００２４】
挿通板部４２に穿設された貫通孔４４の上下方向の間隔は、取付用金具２に設けられた挿通孔２３２と挿通孔２４２との間隔と同じとなされ、端部隠し材４がビーム２０に挿通された状態で、厚み方向に貫通孔４４の位置と挿通孔２３２及び２４２との位置が対応するようになされている。この状態で弾性カバー材５が取り付けられる。弾性カバー材５は、一方の側面が開口された中空部５１を備えた鞘状の弾性体で、側面にはボルトを挿通及び締結するための取付孔５２が弾性カバー材５の厚み方向を貫通して設けられている。
【００２５】
弾性カバー材５は、上述の一方の開口された側面からビーム２０の端末２０１が挿入されて取り付けられるが、取付孔５２の上下方向の間隔は前記貫通孔４４の上下方向の間隔と略同一となされると共に、弾性カバー材５がビーム２０及び取付金具１に被せられた状態で、上述の貫通孔４４、挿通孔２３２及び２４２の厚み方向の位置と対応するようになされており、この状態で、取付金具１と弾性カバー材５との取付手段３であるボルト・ナットの、ボルト３１が取付孔５２、貫通孔４４、挿通孔２３２及び２４２に挿通され、取付手段３であるボルト・ナットのナット（本図においては図示せず）がボルト３１に緊結されることで取付金具１に対して端部隠し材４及び弾性カバー材５が取り付けられる。
【００２６】
図３の（ｂ）は、形成後のガードパイプ用端部緩衝具１０の取付孔５２付近における横断面図である。弾性カバー材５の中空部５１内には、端末２０１付近のビーム２０と、取付金具１とが収納され、更に弾性カバー材５の側面の開口された一方が端部隠し材４により塞がれることで、端末２０１が弾性カバー材５により覆われると共に、弾性カバー材５及び隙間隠し材４により取付金具１やボルト・ナット類等の取り付けに係わる部材が覆われて美観が高められるようになされている。一体のボルト３１により取付金具１及び挿通板部４２が挿通されていることで、取り付けに係わる作業が簡便になされると共に、取付金具１に対する端部隠し材４の位置固定が強固になされる。また弾性カバー材５は、上下のビーム２０Ａ及び２０Ｃにより上下方向の位置が固定されると共に、左右方向にはボルト３１の頭部及びナット３２が取付孔５２において抜け止めとなって、弾性カバー材５が脱落しないようになされている。
【００２７】
また、本実施形態においては、端部隠し材４と弾性カバー材５とは別体の場合を示しているが、取付金具１への取り付けの前に、隙間隠し材４と弾性カバー材５とを一体としておき、その状態でビーム挿通孔４３にビーム２０を挿通させるようにしてもよい。一体とするための具体的な手段としては、隙間隠し材４を弾性カバー材５と相溶性のある合成樹脂から形成し、挿通板部４２と弾性カバー材５の内面とを振動や超音波等により融着させたり、接着剤等を用いて接着したりして一体とすることができる。
【００２８】
ここで、弾性カバー材５の厚みと、挿通板部４２の貫通孔４４が座繰り孔となされていることにより、取付手段３であるボルト３１やその頭部、及びナット３２が内側に位置するようになされ、弾性カバー材５の外面５３より突出しないようになされている。また取付手段３の取り付け後に取付孔５２にキャップを取り付けて、ボルト３１及びナット３２を覆って、より美観を高めるようにしてもよい。
【００２９】
またナット３２をボルト３１から外し、取付手段３により弾性カバー材５を固定していない状態では、弾性カバー材５は取付金具１に対して着脱自在となされ、汚損時等における交換やメンテナンスを容易に行うことができるようになされている。
【００３０】
取付金具１を形成する取付用金具２は、弾性カバー材５を取り付け可能とするものであれば特に形成する材料を限定するものではないが、強度が高く、加工性の良好な鉄鋼、ステンレス等の金属材料が好適に用いられる。表面は弾性カバー材５により覆われることで美観は必須ではないが、耐久性を高めるために表面には錆止めのめっき等を施しておくのが好ましい。
【００３１】
端部隠し材４についても、取付用金具２と同様の材料が好適であるが、溶接により挿通板部４２を設ける場合には、溶接可能な材料同士を用いるのが好ましく、とりわけ鉄鋼が好適である。また端部隠し材４はプレート部４１が視認されることから、少なくとも視認される部分については美観を高めるために塗装等を施しておくのが好ましく、弾性カバー材５や防護柵Ｆの色調と同じか又はその系統の色調として、外観の調和を図るようにしてもよい。
【００３２】
弾性カバー材５は、中空部５１等の複雑な形状を形成する必要があることから、弾性を備えた樹脂を用いて射出成形や注型成形により形成するのが好ましい。具体的には、注型成形としては廃タイヤなどのゴムを微細なチップ状にしたものをウレタン系結着剤（バインダー）を用いて加熱圧縮金型処理によって固めることで形成することができる。射出成形としては、ブタジエンスチレンゴム、ネオプレン、ブタジエンアクリロニトリルゴム、クロロプレン重合体、ブチルゴム、エチレンプロピレンターポリマー、ウレタン樹脂、ポリイソブチレン樹脂や、ポリウレタン系等のエラストマーなどの各種合成ゴムや合成樹脂等からなる弾性材を用いて形成することができ、それらを発泡させて成形してもよい。
【００３３】
図４は、本発明に係わるガードパイプ用端部緩衝具１０の、第二の実施形態における取付金具を示す説明図である。まず（ａ）において、端部隠し材４は第一の実施形態と同様に弾性カバー材の開口された一方の側面を覆うもので、隙間隠し材４のビーム２０延設方向と直交するプレート部４１には、上段ビーム２０Ａ、中段ビーム２０Ｂ及び下段ビーム２０Ｃを各々挿通させる上段孔４３１、中段孔４３２及び下段孔４３３が設けられている。プレート部４１から、ビーム２０の端末２０１側に金具取付板部４５が溶接等により突設され、金具取付板部４５に取付金具６がリベット等を用いて取り付けられる。取付金具６は、ビーム２０が挿通可能な円筒状の把持部６１と、金具取付板部４５に取り付けられる板状の取付部６２と、取付部６２と相対向して間隔をおいて設けられた同じく板状の押さえ板部６３が設けられ、取付部６２と押さえ板部６３とには、各々ボルトを挿通するボルト孔６２１、６３１が穿設されている。取付金具６は、断面がＵ字型となされ且つ取付部６２と押さえ板部６３との間隔が把持部６１の幅より小さくなされている。
【００３４】
金具取付板部４５は上段孔４３１の下方、及び下段孔４３３の上方に設けられ、各々の金具取付板部４５に同一外形の取付金具６が上下逆に取り付けられる。金具取付板部４５と取付部６２とにはリベット孔が予め二箇所開けられてリベット止めがなされる。取付金具６の円筒状の把持部６１は、上段孔４３１及び下段孔４３３に挿通されたビーム２０が把持部６１に挿通される位置とされている。更に取付金具６の押さえ板部６３と取付部６２に設けられたボルト孔６２１、６３１にはボルト７１が挿通され、予め金具取付板部４５にスポット溶接等により固着されたナット７２に螺着される。ボルト７１を緊結することでボルト７１の頭部により押さえ板部６３が押し付けられて取付部６２との間隔が小さくなり、ボルト７１を緩めると把持部６１の反発力により間隔が広がることで、ボルト７１及びナット７２が把持部６１の拡縮自在とする間隔調整手段７となり、ボルト７１を緊結することで、把持部６１に挿入されたビーム２０が把持部により強く把持されて、ビーム２０に取付金具６が固定される。
【００３５】
この取付金具６に対して、弾性カバー材５が被せられて取り付けられる。弾性カバー材５は図中波線に示す如く取り付けられ、第一の実施形態と同様に取付金具６と端末を含めたその付近のビームとを中空部（図示せず）に収納するようになされたものである。取付金具６に対して弾性カバー材５は、把持部６１の外面と中空部（図示せず）の内面とを当接させて、振動や超音波等によって融着させたり、接着剤等の接着手段を用いて一体化すれば、取り付けるための手段が視認されず外観を良好なものとできる。
【００３６】
図５は、形成されたガードパイプ用端部緩衝具１０の断面を示すもので、（ａ）は間隔調整手段７付近での縦断面図、（ｂ）は間隔調整手段７付近での横断面図である。まず（ａ）において、弾性カバー材５と一体となされた取付金具６の把持部６１にビーム２０Ａ及び２０Ｃが挿入され、間隔調整手段７であるボルト７１がナット７２に締め込まれることで、取付金具６を介して弾性カバー材５がビーム２０に固定されている。中段のビーム２０Ｂは特に固定してはいないが、弾性カバー材５の内面を包持する形状として嵌着を可能としておいてもよい。弾性カバー材５の側面にはボルト７１の部分のみを開口するように取付孔５２が設けられ、取付孔５２にレンチ等の工具を差し込んで弾性カバー材５を取り外すことなくボルト７１の緊結を行うことができるようになされている。ボルト７１緊結後の取付孔５２は、そのままにしておいてもよいが、キャップ等で閉塞してボルト７１が視認されないようにしてもよい。
【００３７】
ここで間隔調整手段７は、取付金具６の断面がＵ字型となされ、且つ取付部６２と押さえ板部６３との間隔が把持部６１の幅より小さくなされていることで、幅方向の突出が抑えられている。更に弾性カバー材５自体に厚みがあることで、間隔調整手段７は弾性カバー材５の外面５３から突出しないようになされている。
【００３８】
次に（ｂ）において、ガードパイプ用端部緩衝具１０は、弾性カバー材５の中空部５１内に端末２０１付近のビーム２０、取付金具６及び間隔調整手段７が収納され、弾性カバー材５の開口部分を端部隠し材４により塞ぐことで、取り付けに係わる手段等が隠されて美観が高められている。
【００３９】
間隔調整手段７は、把持部６１を拡縮自在とできるものであれば、ボルト７１、ナット７２を用いるものに限定されるものではなく、クランプ等適宜のものを用いてよい。また取付金具６は、把持部６１が拡縮されることから靱性の高い鉄鋼やステンレス等の金属材料を用いて形成するのが好適である。
【００４０】
上に示した実施形態の如き、本発明に係わるガードパイプ用端部緩衝具１０は、防護柵の端末の保護に好適に用いることができる。その適用方法としては、例えば図６に示す如く、複数段設けられたビーム２０の端末長さが不揃いである場合には、ビーム２０を設置した状態で鋼管切断用カッター等の切断工具を用いてラインＬの位置でビーム２０を切断し、本発明に係わるガードパイプ用端部緩衝具１０を取り付けることで、迅速に防護柵の端末の保護を図ることができる。
【００４１】
かかる方法により、端末キャップ等の専用の部材を用いる必要がなく、また端末２０１を含むビーム２０に長さを厳密に設定したものと用いる必要がなく、例えば継手金具Ｆ１を貫通しているビーム２０を用いた場合でも通常長さのビーム２０を用いることが可能となり、ビーム２０の加工が簡便なものとなる。また現地の状況に合わせて端末２０１の位置を設定する必要が生じた場合でも容易に対応することができる。
【図面の簡単な説明】
【００４２】
【図１】本発明に係わるガードパイプ用端部緩衝具を取り付けた防護柵を示す斜視図である。
【図２】本発明に係わるガードパイプ用端部緩衝具の、第一の実施形態における取り付けを示す説明図である。
【図３】本発明に係わるガードパイプ用端部緩衝具の、第一の実施形態における取り付けを示す説明図である。
【図４】本発明に係わるガードパイプ用端部緩衝具の、第二の実施形態における取り付けを示す説明図である。
【図５】本発明に係わるガードパイプ用端部緩衝具の、第二の実施形態における取り付けを示す説明図である。
【図６】本発明に係わる防護柵の端末保護方法の、実施の一形態を示す説明図である。
【符号の説明】
【００４３】
１    取付金具
２    取付用金具
３    取付手段
５    弾性カバー材
５３  外面
６    取付金具
６１  把持部
７    間隔調整手段
１０  ガードパイプ用端部緩衝具
２０  ビーム
２０１  端末
３０  支柱
Ｆ    防護柵（ガードパイプ）
【図１】
2007120208.tif 000003
【図２】
2007120208.tif 000004
【図３】
2007120208.tif 000005
【図４】
2007120208.tif 000006
【図５】
2007120208.tif 000007
【図６】
2007120208.tif 000008